(57)【要約】【課題】現像ユニットの交換時に、現像ユニットと書込ユニットとを精度良く位置決めして色ズレを低減し、ユーザが現像ユニットを交換するときの操作性を確保し、および書込ユニットに異物が付着した場合でも清掃しやすい画像形成装置を提供する。【解決手段】ドラム状感光体２４が一体化された複数個の現像ユニット２６と、ドラム状感光体２４に光ビームを走査して静電潜像を形成する書込ユニット２８とを、可動フレーム１４に収容する。書込ユニットと現像ユニットとは、現像ユニットが書込ユニットの上になるように配置される。可動フレームは、画像形成装置１０のケーシングを構成し開閉可能な前カバー１８を有する本体フレーム１２に対して、スライド可能に支持される。前カバーを開いて、可動フレームを画像形成装置の外部に引き出すことにより、現像ユニットを交換することができる。【選択図】図１
2010191279.tif 000002
【特許請求の範囲】
【請求項１】
ドラム状感光体が一体化された少なくとも１個の現像ユニットと、前記ドラム状感光体に光ビームを走査して静電潜像を形成する書込ユニットとを備え、電子写真プロセスに従って記録媒体上に画像を形成する画像形成装置において、
前記画像形成装置のケーシングを構成し、開閉可能な前カバーを有する本体フレームと、
前記本体フレームに対してスライド可能に支持され、前記画像形成装置の外部に引き出すことのできる箱状の可動フレームとを備え、
前記書込ユニットと前記現像ユニットとは、前記現像ユニットが前記書込ユニットの上に配置されるように、前記可動フレームに収容されていることを特徴とする画像形成装置。
【請求項２】
請求項１に記載の画像形成装置において、
前記可動フレームのスライド方向と直交する方向に、複数の現像ユニットがタンデム状に保持され、かつ、前記書込ユニットは前記可動フレームに固定され、前記各現像ユニットは前記可動フレームに対し上下方向に着脱可能であることを特徴とする画像形成装置。
【請求項３】
請求項１または２に記載の画像形成装置において、
前記書込ユニットは、前記各現像ユニットに対応した光ビーム出射開口部を上側に有することを特徴とする画像形成装置。
【請求項４】
請求項１，２または３に記載の画像形成装置において、
前記可動フレームは、前記引出し方向に平行な方向に延在する２枚の側板部材と、前記側板部材に固定され、前記引出し方向に直交する方向に延在する２枚の前板部材および後板部材とを有し、
前記書込ユニットは、前記各側板部材に対して、第１の位置決め部材により位置決めされることを特徴とする画像形成装置。
【請求項５】
請求項４に記載の画像形成装置において、
前記第１の位置決め部材は、前記側板部材に設けられた少なくとも１個の位置決め孔と、前記書込ユニットに設けられ、前記位置決め孔に嵌合される少なくとも１個の位置決めピンとから構成されることを特徴とする画像形成装置。
【請求項６】
請求項４または５に記載の画像形成装置において、
前記現像ユニットは、前記２枚の側板部材に対して、第２の位置決め部材により位置決めされることを特徴とする画像形成装置。
【請求項７】
請求項６に記載の画像形成装置において、
前記第２の位置決め部材は、前記各側板部材に上端から下方向に切り込まれた複数のスリットと、各現像ユニットの軸方向の両端面にそれぞれ設けられ、対応する前記スリットに係合する少なくとも２個の柱状突起とから構成されることを特徴とする画像形成装置。
【請求項８】
請求項４〜７のいずれかに記載の画像形成装置において、
前記各側板部材の外側の面には、外側に突出し、前記可動フレームの引出し方向に離間されて、２個のスライド部材が設けられ、
前記本体フレームには、前記可動フレームが引き出される方向に延び、前記スライド部材をそれぞれ支える２本のレールが設けられ、
前記可動フレームが引き出されるときには、前記レール上を前記スライド部材がスライドすることを特徴とする画像形成装置。
【請求項９】
請求項８に記載の画像形成装置において、
前記各レールは、前記可動フレームの引出し方向の上流側に、前記引出し方向とは反対の方向への前記可動フレームの動きを停止させるストッパ部を有することを特徴とする画像形成装置。
【請求項１０】
請求項９に記載の画像形成装置において、
前記前カバーは、前記可動フレームの引出し方向の下流側の前記前板部材を、前記可動フレームの引出し方向とは反対の方向に押し付ける２本のレール状押圧部材を有し、
前記前カバーが開かれて水平方向に倒されて、前記可動フレームが引き出された状態において、前記可動フレームの引出し方向の上流側のスライド部材は、前記本体フレームのレールに支持され、前記可動フレームの引出し方向の下流側のスライド部材は、前記前カバーのレール状押圧部材により支持されることを特徴とする画像形成装置。
【請求項１１】
請求項１０に記載の画像形成装置において、
前記２本のレール状押圧部材は、それぞれ、バネにより前記引出し方向とは反対の方向に付勢されていることを特徴とする画像形成装置。
【発明の詳細な説明】
【技術分野】
【０００１】
本発明は、プリンタや複写機のような画像形成装置に関し、特に現像ユニットの交換のための着脱作業を容易にした画像形成装置に関するものである。
【背景技術】
【０００２】
プリンタや複写機のような画像形成装置においては、消耗品である内部ユニットの交換や、詰まった用紙を取り除くために、内部ユニットを装置本体から引き出すことができる構成となっている。
【０００３】
特許文献１（特開２００８−６５１２２号公報）には、感光体が一体になった現像ユニットの交換のための着脱作業を容易とするように、書込ユニットを上カバーに固定し、上カバーを回動させ、現像ユニットを本体上方に引き出せるタンデム型のフルカラー画像形成装置が開示されている。
【発明の概要】
【発明が解決しようとする課題】
【０００４】
上述したように、従来のタンデム型のフルカラー画像形成装置では、感光体が一体になった現像ユニットをユーザが交換する方法が広く採用されている。ところが、特許文献１に開示される方法では、次のような問題がある。
【０００５】
上カバーを開いた状態で、上カバーとともに書込ユニットが回動し、書込ユニットを避けて現像ユニットを着脱する必要があるため、現像ユニット交換時のユーザによる操作性が悪い。
【０００６】
また、書込ユニットを上カバーに固定して回動させて現像ユニットを交換するので、現像ユニットの着脱方向に自由度が増すが、現像ユニットの交換後に、上カバーを閉じたときに、書込ユニットと現像ユニットとの位置決め精度が悪くなることがあり、色ズレなどが発生し画像不良となる。
【０００７】
また、書込ユニットが上カバーに固定されて回動するので、書込ユニットに異物が付着した場合に清掃しにくい。
【０００８】
さらに、上カバーを装置本体の上方に開けるための空間が必要であり、画像形成装置の設置場所に制約が生じる。
【０００９】
本発明の目的は、現像ユニットの交換時に、現像ユニットと書込ユニットとを精度良く位置決めして色ズレを低減し、ユーザが現像ユニットを交換するときの操作性を確保し、および書込ユニットに異物が付着した場合でも清掃しやすい画像形成装置を提供することにある。
【課題を解決するための手段】
【００１０】
本発明は、ドラム状感光体が一体化された少なくとも１個の現像ユニットと、ドラム状感光体に光ビームを走査して静電潜像を形成する書込ユニットとを備え、電子写真プロセスに従って記録媒体上に画像を形成する画像形成装置において、画像形成装置のケーシングを構成し、開閉可能な前カバーを有する本体フレームと、本体フレームに対してスライド可能に支持され、画像形成装置の外部に引き出すことのできる箱状の可動フレームとを備え、書込ユニットと現像ユニットとは、現像ユニットが書込ユニットの上に配置されるように、可動フレームに収容されていることを特徴とする。
【００１１】
画像形成装置がタンデム型のフルカラー画像形成装置である場合には、可動フレームのスライド方向と直交する方向に、複数の現像ユニットがタンデム状に保持され、かつ、書込ユニットは可動フレームに固定され、各現像ユニットは可動フレームに対し上下方向に着脱可能に構成される。
【００１２】
書込ユニットは、光ビーム出射開口部を上側に有するようにすれば、現像ユニットを可動フレームから上方向に引き抜いたときに、光ビーム出射開口部を露出させることができる。
【００１３】
可動フレームは、箱状であり、引出し方向に平行な方向に延在する２枚の側板部材と、側板部材に固定され、引出し方向に直交する方向に延在する２枚の前板部材および後板部材とを有し、書込ユニットは、各側板部材に対して、第１の位置決め部材により位置決めされる。第１の位置決め部材は、側板部材に設けられた少なくとも１個の位置決め孔と、書込ユニットに設けられ、位置決め孔に嵌合される少なくとも１個の位置決めピンとから構成するのが好適である。
【００１４】
また、現像ユニットは、２枚の側板部材に対して、第２の位置決め部材により位置決めされる。第２の位置決め部材は、各側板部材に上端から下方向に切り込まれた複数のスリットと、各現像ユニットの軸方向の両端面にそれぞれ設けられ、対応するスリットに係合する少なくとも２個の柱状突起とから構成するのが好適である。
【００１５】
各側板部材の外側の面には、外側に突出し、可動フレームの引出し方向に離間されて、２個のスライド部材が設けられ、本体フレームには、可動フレームが引き出される方向に延び、前記スライド部材をそれぞれ支える２本のレールを有し、可動フレームが引き出されるときには、レール上を前記スライド部材がスライドする。
【００１６】
各レールは、可動フレームの引出し方向の上流側に、引出し方向とは反対の方向への可動フレームの動きを停止させるストッパ部を有し、可動フレームを本体フレームに対して位置決めできるようにする。
【００１７】
前カバーは、可動フレームの引出し方向の下流側の前板部材を、可動フレームの引出し方向とは反対の方向に押し付ける２本のレール状押圧部材を有している。前カバーが開かれて水平方向に倒されて、可動フレームが引き出された状態において、可動フレームの引出し方向の上流側のスライド部材は、本体フレームのレールに支持され、可動フレームの引出し方向の下流側のスライド部材は、前カバーのレール状押圧部材により支持される。これにより、可動フレームをプリンタから引き出したときに、可動フレームの姿勢が安定するので、操作が容易になる。
【００１８】
レール状押圧部材は、コイルバネなどのバネにより引出し方向とは反対の方向に付勢するのが好適である。
【発明の効果】
【００１９】
本発明の画像形成装置によれば、可動フレームを装置本体から引き出して、可動フレームから消耗品である現像ユニットのみを着脱できるため、現像ユニット交換時におけるユーザの操作性が向上する。
【００２０】
また、書込ユニットと現像ユニットとは、現像ユニットが書込ユニットの上に配置されるように、可動フレームに収容されているので、書込ユニットが現像ユニットとともにプリンタの外部に引き出される。したがって、プリンタの本体レイアウトの自由度が向上する。
【００２１】
また、現像ユニットと書込ユニットとの位置関係を常に保持できるため、色ズレを低減できる。
【００２２】
さらに、書込ユニットは現像ユニットの下方に配置されているので、現像ユニットを取り外したときに、書込ユニットの清掃を容易に行うことができる。
【図面の簡単な説明】
【００２３】
【図１】本発明の一実施例である画像形成装置の断面図である。
【図２】可動フレームを示す斜視図である。
【図３】スライド部材とレールとの位置関係を示すための概略図である。
【図４】レールおよびレール状押圧部材を示す斜視図である。
【図５】前カバーを倒した状態を示す図である。
【図６】可動フレームを引き出した状態を示す図である。
【発明を実施するための形態】
【００２４】
図１は、本発明の一実施例であるタンデム型のフルカラープリンタ１０の側面断面図である。このプリンタは、一般的な電子写真プロセスに従ってフルカラー画像を形成する。
【００２５】
プリンタ１０は、プリンタのケーシングを構成する本体フレーム１２と、本体フレームの内部に水平方向にスライド可能に支持された可動フレーム１４とを備えている。
【００２６】
以下、可動フレーム１４が引き出される方向を前方向（矢印Ｆで示す方向）、前方向と反対の方向を後方向（矢印Ｂで示す方向）というものとする。
【００２７】
本体フレーム１２は、プリンタ１０の前方向において、支点１６に回動可能に支持された前カバー１８と、プリンタ１０の後方向において、支点２０に回動可能に支持された後カバー２２とを有している。ユーザは、前カバー１８を開いて、可動フレーム１４をプリンタ１０の外部へ引き出すことができる。
【００２８】
可動フレーム１４には、イエロー（Ｙ），シアン（Ｃ），マゼンタ（Ｍ），ブラック（Ｂｋ）の各トナー色の画像を形成するために、各色ごとにドラム状感光体２４Ｙ，２４Ｃ，２４Ｍ，２４Ｂｋがそれぞれ一体化された現像ユニット２６Ｙ，２６Ｃ，２６Ｍ，２６Ｂｋと、帯電済みの各ドラム状感光体に、各色毎の画像データ対応の変調した光ビームを走査して、静電潜像を書き込む書込ユニット２８とが設けられる。
【００２９】
なお、以下の説明において、イエロー（Ｙ），シアン（Ｃ），マゼンタ（Ｍ），ブラック（Ｂｋ）の各色に対応する部材には、参照番号に記号Ｙ，Ｃ，Ｍ，Ｂｋを付して区別するが、区別する必要のない場合には、これら記号を付さないものとする。
【００３０】
書込ユニット２８は、可動フレーム１４の底部に固定され、現像ユニット２６は、書込ユニット２８の上に、可動フレーム１４に対して着脱可能に設けられる。
【００３１】
現像ユニット２６では、帯電されたドラム状感光体２４に書込ユニット２８からの光ビームが走査され、静電潜像が形成され、各色のトナーにより現像される。
【００３２】
本体フレーム１２の内部には、ドラム状感光体２４Ｙ，２４Ｃ，２４Ｍ，２４Ｂｋに接触するように、無端状の中間転写ベルト３０がローラ３２，３４間に張架，配置されている。中間転写ベルト３０の内周部には、各感光体に対向させて一次転写ローラ３６Ｙ，３６Ｃ，３６Ｍ，３６Ｂｋが設けられている。中間転写ベルト３０の外周部には、ローラ３２に対向させて二次転写ローラ３８が設けられている。
【００３３】
トナーによって現像された各ドラム状感光体表面の各色のトナー画像は、一次転写ローラ３６Ｙ，３６Ｃ，３６Ｍ，３６Ｂｋによって、中間転写ベルト３０に転写され、各色が重ねられてカラートナー画像が形成される。
【００３４】
一方、可動フレーム１４の下方には、記録媒体である用紙４０を供給する給紙カセット４２が、プリンタ１０の外部へ引出し可能に配置されている。給紙カセット４２内に載置された用紙４０は、ピックアップローラ４４の回転により選択的に送り出される。送り出された用紙４０は、二次転写ローラ３８に搬送され、中間転写ベルト３０上のカラートナー画像が静電的に転写され、本体フレーム１２の内部に設けられた、定着ユニット４６に送られる。
【００３５】
定着ユニット４６は、ヒータを内蔵したローラから構成されており、加熱により、カラートナー画像が用紙４０に定着される。その後、用紙は排紙ローラ４８によって、プリンタ１０の外部に送り出される。
【００３６】
図２は、可動フレーム１４、可動フレーム１４に収納された書込ユニット２８、および可動フレーム１４に収納されるべき現像ユニット２６Ｙ，２６Ｃ，２６Ｍ，２６Ｂｋを示す斜視図である。
【００３７】
可動フレーム１４は、箱状であり、底板５０と、引き出されるべき方向Ｆ（前方向）に平行に側板５２ａ，５２ｂと、方向Ｆに直交する方向に延在する前板５４，後板５６とから構成される。なお、前板５４は方向Ｆにおける下流側に位置し、後板５６は方向Ｆにおける上流側に位置している。
【００３８】
底板５０，前板５４，後板５６は、側板５２ａと側板５２ｂとを連結するものである。各板５０，５４，５６の端縁付近には直角に折れ曲がった複数の固定片５８を有しており、各側板５２ａ，５２ｂはネジ６０で固定片５８に固定される。これにより、側板５２ａと測板５２ｂとの間隔を確保し、および可動フレーム１４としての剛性を確保する。
【００３９】
各側板５２ａ，５２ｂには、上端から下方に向けて等間隔で４個のスリット６２が切り込まれている。各側板５２ａ，５２ｂのスリット６２は、側板５２ａ，５２ｂ間で対称となるように形成される。したがって、側板５２ａ，５２ｂは、同じものを用いることができる。また、各スリット６２の位置は、後述するように、現像ユニット２６を可動フレーム１４に取り付ける際に、書込ユニット２８に対して位置決めされるように、設定される。
【００４０】
一方、各現像ユニット２６Ｙ，２６Ｃ，２６Ｍ，２６Ｂｋの軸方向（ドラム状感光体の軸方向に同じ）両側部には、それぞれ、上下に２個の円柱状突起６４が設けられている。
【００４１】
可動フレーム１４の底板５０上には、書込ユニット２８が固定される。書込ユニットの固定に際しては、側板５２ａ，５２ｂに対して位置決めして固定する必要がある。このためには、Ｆ方向に平行な書込ユニット２８の両側面に、それぞれ、２本の位置決めピン６６ｆ，６６ｂが設けられており、これらの位置決めピンを側板に開けられた位置決め孔６８ｆ，６８ｂに嵌合することにより行う。この場合、Ｆ方向下流側の位置決め孔６８ｆは丸孔とし、Ｆ方向上流側の位置決め孔６８ｂは長円孔とする。位置決め孔６８ｂの形状を長円とする理由は、位置決めピン６６ｆと位置決めピン６６ｂとの間の距離の寸法バラツキを吸収するためである。
【００４２】
書込ユニット２８は、現像ユニット２６Ｙ，２６Ｃ，２６Ｍ，２６Ｂｋの各ドラム状感光体２４Ｙ，２４Ｃ，２４Ｍ，２４Ｂｋの表面に光ビームを出射するための開口部７０Ｙ，７０Ｃ，７０Ｍ，７０Ｂｋ（７０Ｂｋは図示せず）を有している。各光ビーム出射開口部には、透光性の防塵部材（図示せず）が設けられている。
【００４３】
書込ユニット２８に位置合わせして、現像ユニット２６を上方から取り付けるが、側板５２ａ，５２ｂに切り込まれたスリット６２に、現像ユニット２６の２個の円柱状突起６４を係合させながら、現像ユニット２６を可動フレーム１４にはめ込む。このとき、スリット６２の幅および円柱状突起６４の直径を、隙間が生じないように設定しておけば、交換のために現像ユニット２６を取り付けた場合に、固定された書込ユニット２８に対して現像ユニット２６を正確に位置決めすることができる。
【００４４】
前述したように、可動フレーム１４は、本体フレーム１２に対して、スライド可能に設けられる。このためには、図２に示すように、可動フレーム１４の各側板５２ａ，５２ｂの外側面の下側角部付近には、２個の円柱状のスライド部材７２ｆ，７２ｂが固定され、図１および図３に示すように、これらスライド部材７２ｆ，７２ｂを支持するための２本のレール７４ａ，７４ｂが、本体フレーム１２に固定されている。なお、図３は、スライド部材とレールとの位置関係を示すための概略図であり、可動フレーム１４を後板５６側から見た図である。前板５４の横方向幅は、後板５６の横方向幅よりも大きくなるように設定されている。これは、後述するように、前カバー１８を閉じたときに前カバー１８に設けられた押圧部材によって、前板５４の横方向の両端部分を押し付ける必要があるからである。
【００４５】
書込ユニット２８および現像ユニット２６が収容された可動フレーム１４は、自重または板バネ等の付勢手段により、両側のスライド部材７２ｆ，７２ｂが両側のレール７４ａ，７４ｂにそれぞれ当接され、両側のスライド部材７２ｆ，７２ｂが、それぞれ、両側のレール７４ａ，７４ｂ上をスライドすることにより、可動に保持されている。各レール７４ａ，７４ｂは、図１に示すように、後端部が直角に折れ曲がり、スライド部材７２ｂが当接するストッパ部として働く。図４に、２本のレール７４ａ，７４ｂの斜視図を示す。図中、ストッパ部を７６ａ，７６ｂで示している。
【００４６】
ストッパ部の構造は、上記のものに限定されるものではない。可動フレーム１４の動きを停止させることができればよいので、側板５２ａ，５２ｂの縁部に当接する構造のストッパ部であってもよい。
【００４７】
一方、本体フレーム１２内の支点１６に回動可能に支持された前カバー１８の内側には、２個のコ字状のレール状押圧部材７８ａ，７８ｂが可動に保持されている。レール状押圧部材７８ａ，７８ｂは、図４に示すように、レール７４ａ，７４ｂ間の離間距離Ｄと同じ距離だけ離間されて設けられている。これは、後述するように、前カバー１８を開いて、可動フレーム１４を引き出したときに、前方のスライド部材７２ｆを支持するためである。各レール状押圧部材７８ａ，７８ｂは、コイルバネ８０ａ，８０ｂによって付勢されており、前カバー１８に対して、Ｆ方向（前方向）およびＢ方向（後方向）に動くが、図示しない規制手段により、動く範囲は制限されている。
【００４８】
各レール状押圧部材７８ａ，７８ｂは、複数個のバネ８０ａ，８０ｂでＢ方向に付勢されるよう構成されている。前カバー１８を閉じたときには、レール状押圧部材７８ａ，７８ｂが可動フレームの前板５４の両端部分を押す結果、両側のスライド部材７２ｂがレール７４ａ，７４ｂのストッパ部７６ａ，７６ｂにそれぞれ当接して、可動フレーム１４は本体フレーム１２に対して位置決めされる。このような単純な機構で、可動フレームのプリンタ本体への装着ミスを回避することができる。
【００４９】
本体フレーム１２内の支点２０に回動可能に支持された後カバー２２は、用紙４０の紙詰まりの場合に開いて、詰まった用紙を取り除くことができる。
【００５０】
以上のような構成の画像形成装置１０において、消耗品である現像ユニット２６を取り換えるときには、図５に示すように、ユーザが前カバー１８を開いて、矢印Ｒで示すように支点１６を中心にして回動して、水平方向に倒す。このとき、前述した図示しない適切な規制手段により、レール状押圧部材７８ａ，７８ｂの支持面の高さ位置が、レール７４ａ，７４ｂの上面の高さ位置とほぼ同じになるように、かつ、レール状押圧部材７８ａ，７８ｂが下方に押し下げられないようにして、前カバー１８に保持される。
【００５１】
次に、図６に示すように、ユーザが、可動フレーム１４を前方向にスライドさせて、プリンタ１０の外部に引き出す。このとき、可動フレーム１４の両側面から突き出た前方のスライド部材７２ｆが、水平方向に倒されたレール状押圧部材７８ａ，７８ｂの上面に、後方のスライド部材７２ｂがレール７４ａ，７４ｂの上面に、位置するようにすれば、引き出した状態では可動フレーム１４は落下することなく水平に保持される。
【００５２】
したがって、ユーザが現像ユニット２６を交換するときに、可動フレーム１４がガタつくことなしに、可動フレーム１４に収容されている現像ユニット２６を矢印Ｕで示す上方に引き抜き、新しい現像ユニットを、その円柱状突起６４をスリット６２に係合させながら、可動フレーム１４に挿入することにより、現像ユニットを操作性よく交換することができる。
【００５３】
本実施例のフルカラープリンタによれば、レール状押圧部材７８ａ，７８ｂが、前カバー１８を閉じたときには、引出し方向とは反対の方向に可動フレーム１４を押し付けて、可動フレーム１４を位置決めする働きをし、前カバー１８を開いたときには、可動フレーム１４を支持する働きをする。このように、レール状押圧部材に２つの機能を持たせることにより、部品点数を減らすことができる。
【００５４】
また、現像ユニットを可動フレームから上方に引き抜いた場合には、書込ユニットの光ビーム出射開口部が上側を向いているので、異物付着の目視ができ、清掃を容易に行うことができる。清掃により白スジ等の画像不良を防止できる。
【００５５】
また、本実施例のフルカラープリンタによれば、書込ユニットは、書込ユニットの側部に設けられた位置決めピンを、可動フレームの側板に設けた位置決め孔に嵌合させることにより、位置決めされる。可動フレームの側板は、スリットが切られた同一の部品を用いることにより、複数の現像ユニットを可動フレームにセットした場合に、各現像ユニットが等間隔で配置され、書込ユニットと現像ユニットとの位置精度も、可動フレームの両側において等しく配置される。このため、現像ユニット交換時に、書込ユニットとの位置関係を極めて高精度に保持することが可能になり、色ズレの低減が図れる。
【００５６】
以上、本発明をタンデム型のフルカラープリンタを例に説明したが、カラープリンタのみならず単色のプリンタにも適用できることは、明らかである。
【００５７】
さらに、本発明は、プリンタのみならず、複写機やファクシミリ装置にも適用できることは、言うまでもない。
【符号の説明】
【００５８】
１０  フルカラープリンタ
１２  本体フレーム
１４  可動フレーム
１８  前カバー
２２  後カバー
２４  ドラム状感光体
２６  現像ユニット
２８  書込ユニット
５０，５２，５４，５６  板
６２  スリット
６４  円柱状突起
６６  ピン
６８  孔
７０  開口部
７２  スライド部材
７４  レール
７６  ストッパ部
【先行技術文献】
【特許文献】
【００５９】
【特許文献１】特開２００８−６５１２２号公報
【図１】
2010191279.tif 000003
【図２】
2010191279.tif 000004
【図３】
2010191279.tif 000005
【図４】
2010191279.tif 000006
【図５】
2010191279.tif 000007
【図６】
2010191279.tif 000008